(57)【要約】【課題】  身部に蓋部で蓋をする際に切除バンドを破損することなく密封することができ、且つ、不正開封を防止することができる密封容器の提供。【解決手段】  上方が開放し、かつ上端部に内側環状部１２と外側の切除バンド１６とを形成した身部２と、身部２の上方開放部に蓋をし、内側環状部１２と切除バンド１６との間に嵌合する蓋環状部２６を形成された蓋部４と、を有し、切除バンド１６が身部２から切り離し容易に形成された一旦開封すると元の形態に戻すことができない密封容器において、切除バンド１６は、身部２の外周の一箇所で途切れ、切除バンド１６の両端部に、それぞれツマミ２０ａ、２０ｂが設けられ、ツマミを互いに繋ぐ、切断容易に形成された連結部４０が設けられている。【選択図】      図１
0003108018.tif 000002
【実用新案登録請求の範囲】
【請求項１】
上方が開放し、かつ上端部に内側環状部と外側の切除バンドとを形成した身部と、
前記身部の上方開放部に蓋をし、前記内側環状部と前記切除バンドとの間に嵌合する蓋環状部を形成された蓋部と、を有し、
前記切除バンドが前記身部から切り離し容易に形成された一旦開封すると元の形態に戻すことができない密封容器において、
前記切除バンドは、前記身部の外周の一箇所で途切れ、
前記切除バンドの両端部に、それぞれツマミが設けられ、
前記ツマミを互いに繋ぐ、切断容易に形成された連結部が設けられている
ことを特徴とする密封容器。
【請求項２】
下方に向かって延びる内側環状部と外側の切除バンドとを形成した蓋部と、
前記内側環状部と前記切除バンドとの間に嵌合する環状部を上端に形成され、上方が開放した身部と、を有し、
前記切除バンドが前記蓋部から切り離し容易に形成された一旦開封すると元の形態に戻すことができない密封容器において、
前記切除バンドは、前記蓋部の外周の一箇所で途切れ、
前記切除バンドの両端部に、それぞれツマミが設けられ、
前記ツマミを互いに繋ぐ、切断容易に形成された連結部が設けられている
ことを特徴とする密封容器。
【考案の詳細な説明】
【技術分野】
【０００１】
本考案は、一旦開封すると元の形態に戻すことができない密封容器に関し、特に、最初の開封時に切除する切除バンドを容易に除去することができる一旦開封すると元の形態に戻すことができない密封容器に関する。
【背景技術】
【０００２】
従来から、一度開封するとその開封前の形態に戻すことができず、しかし、開封後も密封開閉を繰り返すことができる樹脂製密封容器が数多く提案されている（例えば、特許文献１〜１３）。
【０００３】
そのような従来の密封容器の一例として、特許文献９に記載の密封容器について図４を参照して説明する。図４は、従来例の密封容器の上面図である。
図４に示す密封容器１ａは、上方が開放した身部２と、身部２の上方開放部に蓋をする蓋部４とからなる。身部２には、その上端部に内側環状部１２と外側の切除バンド１６が形成されている。一方、蓋部４には、そ下面周縁部に下に向かって延びる蓋環状部２６が形成され、その内周には、補助環状部２８が形成されている。そして、蓋環状部２６は、身部２の内側環状部１２と切除バンド１６との間に嵌合することによって、密封容器１の気密性が確保される。
【０００４】
この密封容器１ａは、一旦、蓋を閉めると、切除バンド１６を切除しない限り開封することが困難である。切除バンド１６は身部２から切り離し容易に形成されている。このため、切除バンドの両端部に設けられたツマミ２０ａ及び２０ｂを引っ張ることにより、容器を容易に開封することができる。しかし、一旦、切除バンド１６を切除して容器を開封すると、元の形態に戻すことができない。このため、開封された痕跡が残るので、不正開封を防止することができる。
【０００５】
さらに、この密封容器１ａには、切除バンド１６が切り離されずに、蓋がこじ開けられることを防いで不正開封の防止を徹底するため、切除バンド１６の両端を一体に繋ぐ突出部１６ａが切除バンド１６から延長して形成されている。
【０００６】
【特許文献１】特開昭６０−５０２０９７号公報
【特許文献２】特開平８−２８２６９７号公報
【特許文献３】特開平９−５１０４２３号公報
【特許文献４】特開平１０−１６７３１２号公報
【特許文献５】特開平１０−２５０７５４号公報
【特許文献６】特開平１３−８０６６２号公報
【特許文献７】特開平１３−２１３４６７号公報
【特許文献８】特開平１４−１７９１１２号公報
【特許文献９】特開平１４−１７９１１９号公報
【特許文献１０】特開平１６−１６８４００号公報
【特許文献１１】実開平６−８０６６１号公報
【特許文献１２】実公平３０５２１９８号公報
【特許文献１３】実公平３０６６９０３号公報
【考案の開示】
【考案が解決しようとする課題】
【０００７】
ところで、この突出部１６ａは、開封の際に容易に破断するように形成されている。このため、最初に蓋を閉めて容器を密封するときに、この突出部１６ａに張力がかかり、突出部１６ａが破断するおそれがある。突出部１６ａが破断していると、たとえ不正開封されていない場合であっても、不正開封が疑われることが予想される。一方、この突出部１６ａを丈夫にすると、今度は、容器を開封する際に容易に破断することができず、開封が困難となってしまう。
【０００８】
そこで、本考案は、身部に蓋部で蓋をする際に切除バンドを破損することなく密封することができ、且つ、不正開封を防止することができる密封容器を提供することを目的としている。
【課題を解決するための手段】
【０００９】
上記の目的を達成するため、本考案の第１の密封容器は、上方が開放し、かつ上端部に内側環状部と外側の切除バンドとを形成した身部と、身部の上方開放部に蓋をし、内側環状部と切除バンドとの間に嵌合する蓋環状部を形成された蓋部と、を有し、切除バンドが身部から切り離し容易に形成された一旦開封すると元の形態に戻すことができない密封容器において、切除バンドは、身部の外周の一箇所で途切れ、切除バンドの両端部に、それぞれツマミが設けられ、ツマミを互いに繋ぐ、切断容易に形成された連結部が設けられていることを特徴としている。
【００１０】
上記の目的を達成するため、本考案の第２の密封容器は、下方に向かって延びる内側環状部と外側の切除バンドとを形成した蓋部と、内側環状部と切除バンドとの間に嵌合する環状部を上端に形成され、上方が開放した身部と、を有し、切除バンドが蓋部から切り離し容易に形成された一旦開封すると元の形態に戻すことができない密封容器において、切除バンドは、蓋部の外周の一箇所で途切れ、切除バンドの両端部に、それぞれツマミが設けられ、ツマミを互いに繋ぐ、切断容易に形成された連結部が設けられていることを特徴としている。
【００１１】
このように構成された第１及び第２の密封容器によれば、ツマミ互いに繋ぐ連結部には、最初に身部に蓋部で蓋をする際に大きな張力がかからない。このため、切除バンドを破損することなく容器を密封することができる。その上、一旦密封後、密封容器を開封しようとすると、この連結部が切断されるので、不正開封を防止することができる。
【考案の効果】
【００１２】
本考案により、身部に蓋部で蓋をする際に、切除バンドを破損することなく密封することができ、且つ、不正開封を防止することができる密封容器を得ることができる。
【考案を実施するための最良の形態】
【００１３】
以下、図１及び図２を参照して、本考案の第１の実施形態による密封容器を説明する。
図１及び図２に示すように、本考案の第１の実施形態による密封容器１は、軟質プラスチック、例えば、ポリプロピレン製の身部２と、身部に蓋をする、硬質プラスチック、例えば、スチロール製の蓋部４とから構成される。
【００１４】
身部２は側壁部８と底部を有し、側壁部８及び底部によって収容部を形成する。側壁部８の上端部には内側環状部１２と、環状受け部１４と、外側の環状部である切除バンド１６とが形成される。内側環状部１２は側壁部８の延長上にあり、内側環状部１２と側壁部８との境界から環状受け部１４が外方に突出して形成される。環状受け部１４の上方に切除バンド１６が形成され、この切除バンド１６は、容易に切り離すことができる肉薄部１８を介して環状受け部１４と一体に形成される。密封容器１の周囲に亘って延びる切除バンド１６の両端にはツマミ２０ａ、２０ｂが夫々形成される。
【００１５】
蓋部４には、蓋縁部２２が蓋平面部２４の上面周縁部に形成される。蓋平面部２４の下面周縁部には、蓋環状部２６が形成され、その内周には補助環状部２８が形成される。蓋環状部２６の下方外周には、環状突起３０が形成される。
【００１６】
次に、図２を参照して、身部２と蓋部４との嵌合について説明する。蓋部４に形成された蓋環状部２６は、身部２に形成された内側環状部１２と、切除バンド１６との間に嵌合される。この時、蓋環状部２６に形成された環状突起３０が、切除バンド１６と環状受け部１４との間の肉薄部１８に係合して、蓋部４の上方への移動が阻止される。一方、身部２の内側環状部１２が、蓋部４の蓋環状部２６と補助環状部２８との間に嵌合することによって、密封容器１の気密性が確保される。
【００１７】
切除バンド１６は環状受け部１４の上方に形成され、それらは肉薄部１８を介して環状受け部１４と一体に形成されている。切除バンド１６は身部２の全周に亘って形成され、その両端部分は幅が狭くなっており、環状受け部１４から分離されている。切除バンド１６の幅が狭くなった両端部分の上方にツマミ２０ａ、２０ｂが夫々形成される。切除バンド１６の先端部分どうしの間は離間しており、切除バンド１６はここで途切れている。
【００１８】
そして、ツマミ２０ａ及び２０ｂを互いに繋ぐ連結部４０が形成されている。連結部４０は、容易に切断されるように形成され、その両端がそれぞれツマミ２０ａ及び２０ｂに固着された湾曲した糸状の形状を有している。
【００１９】
本考案の第１の実施形態による密封容器１は次のように使用される。まず、身部２の収容部に内容物を充填し、次に、身部２の上に蓋部４を載せ、押圧することによって、身部２の切除バンド１６と内側環状部１２との間に、蓋部４の蓋環状部２６を嵌合させる。このとき、軟質プラスチック製の身部２の切除バンド１６は外方に延伸し、蓋環状部２６の環状突起３０が切除バンド１６を乗り越えて肉薄部１８の窪みに係合する。これにより、蓋部４の上方への移動が阻止される。
【００２０】
なお、この嵌合の際には、連結部４０には大きな張力はかからないので、連結部４０は破断しない。また、密封容器１を不正開封するには、連結部４０を切断する必要がある。このため、連結部４０が破断することにより、不正開封の痕跡が残る。
【００２１】
密封容器１を開封するときは、ツマミ２０ａ又は２０ｂを引張ることによって、ツマミ２０ａ及び２０ｂどうしを繋いでいる連結部４０を破断させる。次に、ツマミ２０ａを更に引張って肉薄部１８を切断することにより、切除バンド１６を環状受け部１４から切り離す。切除バンド１６の欠陥によって、環状受け部１４から切除バンド１６を切り離す途中で切除バンドが破断した場合には、ツマミ２０ｂを引張ることによって、切除バンド１６の残りの部分を容易に切除することができる。切除バンド１６を全て切除することによって、蓋環状部２６の環状突起３０と切除バンド１６の肉薄部１８との係合が外れ、密封容器１の開封が可能になる。勿論、先にツマミ２０ｂを引張って切除バンド１６を切り離し、切除バンド１６が破断した際にツマミ２０ａを引張って切除バンド１６の残りの部分を切除しても良い。
【００２２】
切除バンド１６を切除して開封した後も、身部２の内側環状部１２と、蓋部４の蓋環状部２６及び補助環状部２８との嵌合によって密閉が確保されるため、密封容器１を、開封密封を繰り返すことができる密封容器として使用することができる。
【００２３】
次に、図３を参照して、本考案の第２の実施形態による密封容器５０について説明する。密封容器５０は、前記第１の実施形態の蓋部と身部の役割を逆転させたものである。即ち、密封容器５０は、身部５２と蓋部５４とによって構成され、前記蓋部５４は、蓋本体部５６と、肉薄部６０を介して蓋本体部５６と一体に成形された切除バンド５８とを有する。切除バンド５８の両端部にはツマミ６２ａ、６２ｂが夫々形成され、ツマミ６２ａ及び６２ｂを互いに繋ぐ連結部７０が設けられている。
【００２４】
密封容器５０を開封する際には、ツマミ６２ａ又は６２ｂを引張ることによって、連結部７０を破断させ、蓋本体部５６から切除バンド５８を切除する。その他、第２の実施形態の詳細は、第１の実施形態と同様であるので説明を省略する。
【００２５】
以上、本考案の好ましい実施形態を説明したが、本考案の範囲又は精神から逸脱することなく、特許請求の範囲に記載された技術的事項の範囲内において、開示した実施形態に種々の変更をすることができる。
例えば、上述の実施形態では、容器の平面外形が、第１の実施形態ではほぼ四角形であり、第２の実施形態では円形である例について説明したが、本考案では、容器の平面外形はこれらに限定されない。
【図面の簡単な説明】
【００２６】
【図１】本考案の第１の実施形態による密封容器の上面図である。
【図２】身部と蓋部との係合を示す、図１の直線Ｉ−Ｉに沿った拡大部分断面図である。
【図３】本考案の第２の実施形態による密封容器の斜視図である。
【図４】従来例の密封容器の上面図である。
【符号の説明】
【００２７】
１              密封容器
２              身部
４              蓋部
８              側壁部
１２            内側環状部
１４            環状受け部
１６            切除バンド
１６ａ          突出部
１８            肉薄部
２０ａ、２０ｂ  ツマミ
２２            蓋縁部
２４            蓋平面部
２６            蓋環状部
２８            補助環状部
３０            環状突起
４０            連結部
５０            密封容器
５２            身部
５４            蓋部
５６            蓋本体
５８            切除バンド
６０            肉薄部
６２ａ、６２ｂ  ツマミ
７０            連結部
【図１】
0003108018.tif 000003
【図２】
0003108018.tif 000004
【図３】
0003108018.tif 000005
【図４】
0003108018.tif 000006